(57)【要約】基礎（１０２）および芝生アセンブリ（１００）を含む人工芝システム。この基礎は、天然に存在する少なくとも一部分にグラウンドエレメント（この基礎の構築の開始の際に存在する）から、容易に構築される。この基礎は、この基礎表面近くに配置された排水機構（３０４、４０４）を備えるように構成されている。この芝生アセンブリは、この基礎の上に重ねられ、かつ流体（例えば、水）を通すように構成されており、その結果、この流体は、その流体がこの芝生アセンブリを通って移動するように、この基礎上の排水機構に特異的に指向される。この芝生アセンブリは、複数の層（例えば、不透過性の吸湿防止剤層（１０４）、排水層（１０６）、ろ過層（１０８）、および芝生マット（１１０））を備える。
2004534165.tif 000002
【特許請求の範囲】
【請求項１】
人工芝システムであって、該人工芝システムが、以下：
天然に存在するグラウンドエレメントから、少なくとも１部分が容易に構築される基礎であって、該グラウンドエレメントは、該基礎の構築の開始の際に存在しており、該基礎が、該基礎の表面付近に配置される排水機構を備えるように構築されている、基礎；および
該基礎上に重ねられ、かつ流体を通すように構築されている芝生アセンブリであって、その結果、該流体が該芝生アセンブリを通して移動するように、該粒体が該基礎の該排水機構に特異的に指向される、芝生アセンブリを備え、
該芝生アセンブリは、以下：
該流体が、該排水機構に対応する予め決定された位置で、該基礎へと通過するように、該基礎上に重ねられた吸湿防止剤層、
該吸湿防止剤層上に配置された排水層であって、該排水層は、流体が、該吸湿防止剤層へと自由に通過し、そして最終的に該基礎の該排水機構へと自由に通過する領域を作り出す、排水層、
該排水層上に配置されたろ過層であって、該ろ過層は、該流体が該ろ過層を通りそして該排水層へと通過する際に、所望されない粒子を該流体からろ別し、該ろ過層と該吸湿防止剤層との間の領域は、流体がその領域を通過するか否かに関らず、不変的に利用可能である、ろ過層；
ろ過層上に配置された芝生マットであって、該芝生マットが、上部表面に草を有して、該人工芝システムに完全に天然の草地の外観を与える、芝生マット
を含む複数の層を備える、
人工芝システム。
【請求項２】
前記草が、天然の草のように見えるように形成されている合成物質を含む、請求項１に記載の人工芝システム。
【請求項３】
前記草が、完全に天然の草の表面のように見える層を形成するような天然物質および合成物質の混合物を含む、請求項１に記載の人工芝システム。
【請求項４】
前記排水層が、同じ高さの均一に分配された突出部を有するプラスチック層を含む、請求項１に記載の人工芝システム。
【請求項５】
前記排水層が、細長いプラスチック物質のバネ様分配を含む、請求項１に記載の人工芝システム。
【請求項６】
前記ろ過層が、網目状地盤用シートである、請求項１に記載の人工芝システム。
【請求項７】
前記ろ過層が、非網目状地盤用シートである、請求項１に記載の人工芝システム。
【請求項８】
前記吸湿防止剤層、前記ろ過層、および前記排水層が、別々に配置される、請求項１に記載の人工芝システム。
【請求項９】
前記吸湿防止剤層、前記ろ過層、および前記排水層が、単一の単位である、請求項１に記載の人工芝システム。
【請求項１０】
前記基礎が、天然の土壌を含む、請求項１に記載の人工芝システム。
【請求項１１】
前記基礎が、少なくとも１組の複数の安定化剤をさらに含む、請求項１０に記載の人工芝システム。
【請求項１２】
前記安定化剤が、石灰、フライアッシュ、石、および酵素からなる群より選択される、請求項１１に記載の人工芝システム。
【請求項１３】
前記芝生アセンブリおよび基礎の組み合わせが、複数のスポーツ活動のための運動場を提供するように、実質的に平坦である、請求項１に記載の人工芝システム。
【請求項１４】
予め作製された合成芝生システムをアセンブルするための方法であって、該方法が、以下：
流体を、該予め作製された合成芝生システムから排出するために組立てられた排水システムを有する基礎を形成する工程；および
芝生アセンブリに接触する流体が、該芝生アセンブリの種々の層を通って該基礎の該排水システムへと通過するように、該基礎上に該芝生アセンブリを重ねる工程、を包含し、該芝生アセンブリの種々の層が、以下：
吸湿防止剤層であって、該吸湿防止剤層が、該芝生アセンブリを通って通過する流体が、特定の予め決定された領域においてのみ該基礎に達するように該基礎上に配置された、吸湿防止剤層；
該吸湿防止剤層上に配置された排水層であって、該排水層が、流体の通過のための開口スペースを提供し、流体が該排出層を通って通過していない場合でさえも、該開口スペースが開いたままである、排水層；
該排水層への所望されない該粒体中の粒子の通過を回避するために該排水層上に配置されたろ過層；および
上部表面に草を有する人工芝層であって、該草が、完全に天然の運動場の外観を有する芝生アセンブリ、該芝生アセンブリが、完全に天然の運動場の感覚を有するように、該人工芝層の補助を提供する排水層を提供する、人工芝層、を含む、
方法。
【請求項１５】
前記吸湿防止剤層、前記排水層、および前記ろ過層が、単一の単位へと組み合わせられ、該単一の単位が単一層として役割を果たし得る、請求項１４に記載の方法。
【請求項１６】
請求項１５に記載の方法であって、前記芝生アセンブリを重ねる工程が、以下：
前記基礎上で前記単一の単位を巻く工程であって、その結果、該基礎が、該単一単位で完全に覆われ、かつ流体が、該芝生アセンブリ中の特定の予め決定された位置を通ってのみ該基礎へと流れ得る、工程；および
該単一の単位上に前記人工芝層を巻く工程であって、その結果、天然の草地表面に類似する地面が形成される、工程、
を包含する、方法。
【請求項１７】
予め作製された合成芝生システムであって、以下：
該予め作製された合成芝生システムから流体を排出するために組立てられた排水システムを有する、基礎；および
芝生アセンブリに接触する流体が、該芝生アセンブリの種々の層を通って該基礎の該排水システムへと通過するように、該基礎上に配置された、芝生アセンブリ、を含有し、該芝生アセンブリの種々の層が、以下：
吸湿防止剤層であって、該吸湿防止剤が該芝生アセンブリを通って通過する流体が、特定の予め決定された領域においてのみ該基礎に達するように該基礎上に配置された、吸湿防止剤層；
吸湿防止剤層上に配置された排水層であって、該排水層が、流体の通過のための開口スペースを提供し、流体が該排水層を通って通過していない場合でさえも、該開口スペースが開いたままである、排水層；
該排水層への所望されない該粒体中の粒子の通過を回避するために該排水層上に配置されたろ過層；および
上部表面に草を有する人工芝層であって、該草が、完全に天然の運動場の外観を有する芝生アセンブリ、該芝生アセンブリが、完全に天然の運動場の感覚を有するように、該人工芝層の補助を提供する排水層を提供する、人工芝層、を含む、
予め作製された合成芝生システム。
【請求項１８】
前記基礎が、わずかに湾曲した断面を有する平滑な表面として形成される、請求項１７に記載の予め作製された合成芝生システム。
【請求項１９】
前記排水層が、複数の均一に分配された突出部として成形された固体プラスチック物質を含み、複数の突出部の各々が、同じ高さである、請求項１７に記載の予め作製された合成芝生システム。
【請求項２０】
前記排水層が、該排水層にわたって分配された細長いプラスチック物質の凝塊を含み、その結果、該細長いプラスチック物質が、予め作製された合成芝生システムにわたって単一の高さの排水層を提供する、請求項１７に記載の予め作製された合成芝生システム。
【発明の詳細な説明】
【技術分野】
【０００１】
（背景）
（１．発明の分野）
本発明は、改善された人工芝の運動場に関し、より詳細には、水平に排水する、予め作製された合成芝地に関する。
【背景技術】
【０００２】
（２．関連技術の説明）
人工芝の運動場は、種々の活動に用いられる一般的な型の広場となっている。これらの活動としては、スポーツ、および広い開放空間活動を必要とする他の型の活動が挙げられる。これらの広場は、しばしば「運動場」と呼ばれる。人工芝の運動場で考慮すべき第１の事項は、この広場がその供給源（例えば、雨、または洗浄）からの水を排出する能力である。初期の広場は、不浸透性の基礎上に構築されており、そして水が、その上部芝生表面を単純に流れでるだけであった。この型の排水システムは、しばしば、この広場上のプレイヤーを妨害した。外的効果（例えば、雨）に関してより所望される寄与を提供する広場を作製するための努力は、比較的高価な広場の構築を生じた。このことは、なかでも小規模な集落が、それらの高校または他の適度なレクレーション設備のための人工芝システムを設置することを所望する場合に、困難さを生じていた。
【０００３】
先行技術の人工芝システムに対する別の欠点は、この広場の下のコンクリートまたはアスファルトの存在であった。このことは、この広場を、高い衝撃のスポーツ（例えば、プレイヤーがしばしば他のプレイヤーの力のもとで地面に落ちるフットボール）に適さないものにした。この広場が、このスポーツに関連する強打を吸収しない場合、傷害が生じ得得る。コンクリートおよびアスファルトはまた、熱を吸収し、そして運動場において非常に高い温度を生み出すことも知られている。
【０００４】
先行技術の他の多くの問題および不利益は、そのような先行技術と本明細書中に記載される本発明とを比較した後に、当業者に明らかになる。
【発明の開示】
【課題を解決するための手段】
【０００５】
（発明の要旨）
本発明の種々の局面は、基礎および芝生アセンブリを備える人工芝システムを介して実現され得る。この基礎は、この基礎の構築の開始の際に存在している天然に存在するグラウンドエレメントから、少なくとも一部分が容易に構築され得る。この基礎は、この基礎の表面付近に配置される排水機構を備えるように構築される。この芝生アセンブリが、この基礎の上に重ねられ、そしてそれらを通して流体（例えば、水）を通過させ、その結果この流体は、それがこの芝生アセンブリを通って移動するように、この基礎の排水機構に特異的に指向される。この芝生アセンブリは、複数の層（例えば、吸湿防止剤層、排水層、ろ過層、および芝生マット）を備える。
【０００６】
この吸湿防止剤層は、流体が、この排水機構に対応する予め決められた位置において基礎のみへと通過し得るようにこの基礎上に重ねられる。この排水層は、流体がこの吸湿防止剤層へと自由に通過し、そして最終的にこの基礎のこの排水機構へと自由に通過する領域が作り出されるように、この吸湿防止剤層上に重ねられる。このろ過層は、この排水層の上に重ねられ、そしてこの流体がこのろ過層を通ってこの排水層へと移動する際に、この流体から所望されない粒子をろ別する。このろ過層と吸湿防止剤層との間の領域は、流体がそこを通過するか否かに関らず不変的に利用可能である。この芝生マットは、このろ過層の上に重ねられ、かつ上部表面上に草を有し、この人工芝システムに完全に天然の草地の外観を与える。
【０００７】
この人工芝システムの異なる実施形態は、以下のエレメントの種々の組み合わせを含む：人工芝システムの草が、天然の草のように見えるように形成されている合成物質であり得るか、またはこの草は、完全に天然の草の表面のように見える層を形成するような天然物質および合成物質の混合物であり得る；この排水層は、均一に分配された、同じ高さの突出部、細長いプラスチック物質のバネ状の分配、または他の型の構成を有するプラスチック層であり得る；そしてこのろ過層は、網目状地盤シートでも非網目状地盤シートでもよい。この吸湿防止剤層、ろ過層、および排水層が、別々に配置されても、単一の単位として配置されても、それ以外でもよいことに注意すべきである。
【０００８】
この人工芝システムの基礎は、天然の土壌のみでも、少なくとも１組の複数の安定化剤を含む天然の土壌であってもよい。この安定化剤は、一般に、石灰、フライアッシュ、石、および酵素からなる群より選択されるが、任意の類似する型の因子でもよい。
【０００９】
人工芝システムの芝アセンブリおよび基礎の組み合わせは、複数のスポーツ活動のための競技台表面を提供するために、代表的に、実質的に平らである。
【００１０】
本発明の種々の局面はまた、予め作製された（ｐｒｅ−ｅｎｇｉｎｅｅｒｅｄ）合成芝システムを組み立てるための方法を介して見出され得る。この方法は、以下の工程を包含するが、以下の順序である必要はない：予め作製された合成芝システムから液体を排水するために構築された、排水系を有する基礎を形成する工程；および芝アセンブリに接触する液体が芝アセンブリの種々の層を通って基礎の排水系に入るように基礎上に芝アセンブリを配置する工程。芝アセンブリの種々の層は、以下を含む：芝アセンブリを通過する液体が特定の所定の領域のみにおいて基礎に到達するように基礎上に配置される不透過性の防湿層；液体通過のための空間を提供する、防湿層上に配置される排水層（この空間は、液体がそこを通じて通過しない場合でも隙間を残している）；液体中の好ましくない粒子の排水層への通過を防止するために、排水層上に配置されるろ過層；および、上部表面上に草を有する人工芝層。この草は、完全に天然の運動場の外観を芝アセンブリに提供し、そしてその排水層は、芝アセンブリが完全に天然の運動場の感覚を有するように、人工芝層への支持を提供する。
【００１１】
この方法は、時々、単一層として展開され得る単一単位に連結される、不透過性の防湿層、排水層、およびろ過層に依存する。このような場合、芝アセンブリの配置は、基礎上の単一単位を転圧することを含む。基礎が完全に単一単位で覆われ、そして液体は、芝アセンブリ中の特定の所定の位置を介してのみ基礎へと流れ得る。次いで、この方法は、単一単位上の人工芝層を転圧する工程を包含し、その結果、天然の草表面と同じに見える芝地が形成される。
【００１２】
本発明のなお他の局面は、予め作製された合成芝システムから液体を排水するために構築された排水系を有する基礎を含む、予め作製された合成芝システムを介して実現され得る。芝アセンブリは、芝アセンブリと接触する液体が、芝アセンブリの種々の層を介して基礎の排水系に入るように、基礎上に配置される。この芝アセンブリの種々の層は、以下を含む：芝アセンブリを通過する液体が、特定の所定の領域のみにおいて基礎に到達するように、基礎上に配置される不透過性の防湿層；液体通過のための空間を提供する、不透過性の防湿層上に配置される排水層（この空間は、液体がそこを通じて通過しない場合でも隙間を残している）；液体中の好ましくない粒子の排水層への通過を防止するために、排水層上に配置されるろ過層；および、上部表面上に草を有する人工芝層（この草は、完全に天然の運動場の外観を芝アセンブリに提供する）。その排水層は、芝アセンブリが完全に天然の運動場の感覚を有するように、人工芝層への支持を提供する。
【００１３】
いくつかの実施形態において、予め作製された合成芝システムの基礎は、僅かに湾曲する断面を有する滑らかな表面として形成される。この排水層は、複数個の均等に分散された突出部（ｐｒｏｔｒｕｓｉｏｎ）として成形され、この複数個の突出部各々が同じ高さである固形プラスチック物質であり得る。この排水層はまた、排水層にわたって分散される細長いプラスチック物質の凝塊（ｃｏｎｇｌｏｍｅｒａｔｉｏｎ）を含み得、その結果、細長いプラスチック物質が、予め作製された合成芝システムにわたって均一な高さを有する排水層を提供する。
【００１４】
本発明の他の局面は、以下の図面および明細書のさらなる参照とともに明らかになる。
【００１５】
（図面の詳細な説明）
本発明は、低コストであり、設置が容易であり、そして設置コストをより容易に見積もるために使用される、水平方向に排出する、予め作製された合成芝地を提供する。この合成芝地は、天候に曝される広い領域を必要とする競技場（例えば、サッカー競技場、フットボール競技場、陸上ホッケー競技場、または他の野外スポーツイベント）のために使用され得る。この競技場は、競技場が実質的に平坦な断面および草の特性ならびに競技場の基底層に起因するため、ボールの回転特性が特に重要である場合（例えば、サッカーの試合）、特に所望される。この領域はまた、他の用途（例えば、野外テラスカーペットまたはゴルフ練習マットでも）を有し得る。他の用途は、本発明の芝地を考慮し、そしてこのような使用は、本発明の開示を見る際に、当業者に明らかとなる。
【００１６】
図１は、本発明の原理に従って構築された、例示的な予め作製された合成芝地１００の一部分の断面ブロック図である。概して、この芝地１００は、基礎１０２で始まる種々の層を含む。この基礎１０２は、芝地１００の基盤であり、そして当業者になじみのある材料から構成される。例えば、その基盤は、天然表面、調製された天然表面、緻密な粘度、発泡産物、砂利、土壌と混合された砂利、標準土壌、安定化剤（例えば、石灰）と混合した土壌、フライアッシュセメント、石、破砕された石酵素、歴青材料、またはそれらの種々の組み合わせ、あるいは芝地構築領域において入手可能な材料、および／またはそこに容易に運搬される材料を用いて安価にかつ効率的に調合され得る他の型の材料であり得る。この基礎１０２は、通常、予め作製された合成芝地１００が構築される環境下で容易に形成される様な様式で構築される。
【００１７】
基礎１０２の上部に、防湿層１０４が存在する。この防湿層１０４は、水または他の液体が特定の所定の位置以外で基礎１０２に通過するのを防止する、不透過性の層である。水が基礎１０２中に吸収されることが許された場合、基礎１０２は、とりわけ、徐々に侵食され、そして時が経つにつれて弱くなる。従来技術の芝地は、基礎１０２が不完全になる場合、再構築されることが必要とされ得る。防湿層１０４は、基礎１０２の好ましくない侵食を防止するように、基礎１０２の上部に配置される。
【００１８】
防湿層１０４の上部に、排水層１０６が存在する。この排水層１０６は、一般に、パターン化された突出部を有する、少なくとも部分的に不透過性の層である。この排水層１０６は、予め作製された合成芝地１００の単一層を形成するために、防湿層１０４と組み合わされ得る。水の通過を可能にするろ過層１０８は、排水層１０６のパターン化された突出部上に配置される。このろ過層１０８は、しばしば、地盤用シート不織布（例えば、ポリプロピレン）製であるが、さらに地盤用シート織布で作製され得る。確かに、他の類似材料もまた使用され得、そして検討され得る。
【００１９】
草の葉身１１２（人工の草、人工の草および天然の草の組み合わせ、または、別の方法で）を有する人工芝マット１１０は、ろ過層１０８上に配置される。この人工芝マット１１０は、多くの構成を用いて構築され得る。例えば、この人工芝マット１１０は、以下の実施形態のように、房状になっていない人工芝であり得る。
【００２０】
この人工芝は、２つの表糸を有し、その一方は非テクスチャード加工であり、そしてもう一方は、テクスチャード加工である。この人工芝は、好ましくは編まれており、そして非テクスチャード加工の表糸またはパイル織物は、約０．６インチを越えるパイルの高さを有し、好ましくは、少なくとも約１．０インチの高さを有する。使用の際には、テクスチャード加工のパイル織物は、非テクスチャード加工のパイル織物のパイルの高さよりも著しく低い高さを有し、好ましくは、非テクスチャード加工のパイル織物のパイルの高さよりも少なくとも２５％低いパイルの高さを有する。このテクスチャード加工のパイル糸および非テクスチャード加工のパイル糸は、作製された結び目つきの列を人工芝の流れ方向に形成するために、縫い込まれた糸と一緒にして結び目つきにされ、そして縫い込まれた糸は、結び目の列と連動して、パイル糸のための基礎を形成する。シールは、好ましくは、さらなる寸法の安定性を支持するために適用される。
【００２１】
芝は、時々、人工芝の約１５フィートの幅を作製するために、１，０００本を越える針を含み得る編機を用いて構築される。このアセンブリプロセスは、房を作るよりも複雑である。そのパイル糸および織り込まれた糸は、編み針に挿入される。織り込まれた糸は、この機械に対する別個の供給機構を介してパイル糸および織り込まれた糸と連動される。パイル布のループは、形成され、そしてスリッターによって切断される。この編まれた芝は、適切なシール材料が、支持体中の接点に浸透し、そして構造を安定化させるために適用される、仕上げ作業に共される。このプロセスは、通常、布を安定化させ、そしてパイルを調製する熱処理を伴う。充填材料（例えば、砂および／またはゴム粒子）は、時々、編み目状パイル織物および非編み目状パイル織物の間およびその周りに、およそ編み目状パイル織物の高さまで充填される。この充填材料は、部分的に天然な、部分的に合成の「草」表面を作製するために使用され得る。天然草および合成草の種々の組み合わせは、人工芝マット１１０を構成するために使用され得ると理解される。
【００２２】
有利なことに、排水層１０６の突起は、水が人工芝マット１１０を通り抜けるための空間を作り出し、そして人工芝マット１１０の表面で起こる働きを邪魔することなく運動する。ろ過層１０８が、吸湿防止材層１０４に対して圧縮される場合、水は、その間を流れることができず、そして、例えば、強い降雨の間に、水の蓄積が生じ、その結果、水は、人工芝マット１１０の表面上に現われるようになる。排水層１０６の突起は、間隔をおいて並べられ、その結果、突起は、芝生マット１１０に対する均一な支持を提供する。言いかえると、この芝生マット１１０は、その上で物理的な運動が生じる場合にも、実質的に忠実であるように、見えそして感じられる。
【００２３】
使用中予め作製された合成芝地１００は、別な場合ではこの芝地上での動きを妨げ得る、水の排水を提供する。例えば、降雨は、はじめに芝ブレード１１２と接し、そして人工芝マット１１０を通過する。次いで、この水は、ろ過層１０８に吸収され、ここで、ほこり、砂などのような物体は、濾過により除かれる。濾過された水は、水が移動するために有効な空間である排水層１０６に達する。この空間は、水が流れているか否かに関わらず、常に有効である。なぜならば、このろ過層１０６は、砂または埃のような外来の物体が、排水層１０６を目詰まりしないようにするからである。わずかに傾斜した予め作製された合成芝地１００は、水が、この芝地１００から、排水システム（示さず）に排出することを可能とし、この排水システムは、水を芝地から完全に取り除く。
【００２４】
設置の都合のため、吸湿防止材層１０４、排水層１０６およびろ過層１０８は、単一のユニット、すなわち連続的複合配水管（ＣＣＤ）１１４と組み合わされ得、これは、設置の間、容易にベース１０２の上に展開される。予め作製された人工芝システム１００の容易な設置のために、この人工芝マット１１０および芝生ブレード１１２はまた、単一ユニット、人工芝１１６に組み合わされ得る。本開示を見た上で、人工芝システムの当業者は、異なる芝生層の種々の組み合わせが、異なる手順の技術（この技術は、種々の設置上の理由（例えば、堅い土地、または軟らかい土地などのような種々の環境因子）のために望まれ得る）に適用するために使用され得ることを当然、理解する。さらに、異なる型の材料は、予め作製された人工芝システム１００における層の各々のために使用され得る。
【００２５】
図２は、予め作製された合成芝地２００の別の例示的な実施形態の一部の断面のブロック図である。この合成芝地２００はまた、本発明の原理に従って構築されている。芝地２００は、芝地１００に非常に類似するが、排水層２０６は、長い繊維に押出された、プラスチックのような複合材料のように描かれ、この長い繊維は、集まって芝地２００において連続的な支持体を形成する。例えば、排水層２０６のプラスチックは、ベッドのバネのように形作られる。この排水層２０６は、芝地１００より軟らかい芝地２００を提供し得、そして、芝地２００が使用されることが既知であり、その上で、より軟らかい感じが必要な特定の動きが行われる場合、好ましい。芝地２００の他の変化は、当然企図され、そして、排水層２０６は、他の型の芝地の必要性に対処するために修正され得る。例えば、一般に知られている排水層は、ＥＮＫＡＤＲＡＩＮである。排水層２０６は、フィルムまたは可撓性の芝地２００のいずれかの選択肢を提供するように構築され得ることが、理解される。
【００２６】
図３は、予め作製された人工芝システム３００の代表的な配置を図示する断面のブロック図であり、この人工芝システム３００は、図１および図２に図示された原則に従って構築された。このシステム３００では、縮尺は示されておらず図は正しい芝地の割合得るために使用され得ないが、システム３００の操作は、図から理解され得る。図１および図２に記載されるような層を備える広場３０２は、基礎を横切って伸びている（描かない）。排水パイプ３０４は、基礎の内部に配置され、そして広場３０２からの排水が広場３０２の各側面、端部、またはその他の部分に集められるように置かれる。例えば、矢印３０６で示される降雨は、広場３０２と接触し、そして排水溝３０４に向かって流れ、排水溝３０４によって、広場３０２で行われる動きについては最小限に妨害するだけで、競技場表面から除去される。この水は、図１および図２に関して詳細に記載されるように排水される。さらなる排水パイプ（示さず）は、配水管３０４と類似の様式で広場３０２を横切って配置され得、その結果、広場３０２において集められた水は、多くの場所で広場３０２から除去されて、そして、この水は、排水パイプの中に入るために長い距離を移動する必要はない。排水パイプの数の決定は、芝地構築の費用の見積もりの間に考慮され得る因子である。
【００２７】
図４は、予め作製された人工芝システム４００の別の代表的な配置を図示する断面のブロック図であり、この人工芝システムは、図１および図２に図示される原則に従って構築される。連続的な広場３０２とは異なり、このシステム４００は、２つの部分４０２で構築され、部分４０２の各々は、芝地システム４００の中心の長手方向軸から下側に曲げられている。この場合もやはり、排水パイプ４０４は、システム４００の端部のいずれかで基礎（示さず）の内部に配置され、そしてさらに芝地システム４００を横切って、分配され得る。当然、予め作製された合成芝地１００または２００をシステム３００およびシステム４００に組み込むために、他の方法もまた実行でき、そして実施形態に図示される変化が、企図される。
【００２８】
上記の詳細な説明は、例示的であるので、「１つの実施形態」が記載される場合、それは例示的な実施形態である。従って、この文脈の中で単語「１つの（ｏｎｅ）」の使用は、１つの実施形態または１つの実施形態のみが、記載された特徴を備え得ることを示すことを意図しない。むしろ、他の多くの実施形態は、例示的な「１つの実施形態（ｏｎｅ  ｅｍｂｏｄｉｍｅｎｔ）」に記載された特徴を、備えるかまたはしばしば行う。上記で使用されるように、本発明が、実施形態の文脈の中で記載される場合、１つの実施形態は、本発明の多くの可能な実施形態のうちの１つである。
【００２９】
詳細な説明中の用語「１つの実施形態」の使用に関して、上記の予告にも関わらず、特定の番号に導入された特許請求の範囲が意図される場合、このような意図は、特許請求の範囲において明白に示され、そしてこのような詳述がなければ、このような限定は存在しないか、または意図されないことが当業者に理解される。例えば、以下の特許請求の範囲において、特許請求の範囲の要素が、「１つの（ｏｎｅ）」特徴を有するものとして記載される場合、要素は１つに限定されることが意図され、そして単に１つの特徴のみが記載される。さらに、特許請求の範囲の要素が、以下の特許請求の範囲において「１つの（ａ）」特徴を備えるものとして記載される場合、この要素は、１つまたは単に１つの記載された特徴に限定されることは意図されない。むしろ、例えば、「１つの（ａ）」特徴を含む特許請求の範囲は、１つ以上の当該特徴を備える装置または方法を示す。すなわち、当該装置または当該方法は、１つの特徴（ａ  ｆｅａｔｕｒｅ）を備えるので、特許請求の範囲は、この方法および装置がこのような別の類似の特徴を備えるか否かに関わらず、装置または方法を示す。特許請求の範囲の１つの特徴の非限定的な導入の部としての単語「ａ」の使用は、、任意の変則的なまたは先例となる反対の法律事件も見出され得るが、過去に多くの法廷によって採用された解釈と同一なように本明細書中において採用される。同様に、特許請求の範囲の要素が、以下の特許請求の範囲において前述の特徴（ｆｅａｔｕｒｅ）（例えば「ｔｈｅ」ｆｅａｔｕｒｅ）を含むものとして記載される場合、この要素は、記載される特徴の１つまたは１つのみに限定されることを意図しない。さらに、特許請求の範囲における、「少なくとも１つの（ａｔ  ｌｅａｓｔ  ｏｎｅ）」および「１つ以上の（ｏｎｅ  ｏｒ  ｍｏｒｅ）」のような導入句の使用は、同一の特許請求の範囲が、導入句「１つ以上」または「少なくとも１つ」および「ａ」または「ａｎ」のような不定冠詞を含む場合でも、不定冠詞「ａ」または「ａｎ」によって別の特許請求の範囲の要素の導入部が、このような導入された特許請求の範囲の要素を含む任意の特定の特許請求の範囲を、ただ１つのこのような要素を含む発明に限定することを暗示するものと解釈されるべきではない。同様の事柄は、定冠詞の使用についても成り立つ。
【００３０】
本明細書中の教示に従い、本発明の特定の実施形態が、示され、そして記載されるが、種々の改変、代替的構築物、および等価物は、本発明の特許請求の範囲から逸脱することなく使用され得る。従って、添付の特許請求の範囲は、その範囲内の、本発明の精神および範囲内にあるそのような全ての変化、改変などを包含する。さらに、本発明は、単に添付の特許請求の範囲によってのみ規定されることが理解される。上記の記載は、本発明の実施形態の網羅的な列挙を提示することを意図しない。他に明白な記載がなければ、用語が非限定的であるか、非排他的であるかまたは類似の用語が実施例の各々において同時に使用されるか否かに関わらず、提示された例の各々は、非限定的なまたは非排他的な例である。いくつかの例示的な実施形態および例示的な改変のための試みがなされたが、他の実施形態および／または改変は、以下の特許請求の範囲において規定されるような本発明の範囲内にある。
【００３１】
上記の図面の詳細な説明を、以下の図面と併せて熟考する場合に、本発明のより良い理解が、得られ得る。
【図面の簡単な説明】
【００３２】
【図１】図１は、本発明の本質に従って構築された、例示的な予め作製された合成芝地の一部の断面ブロック図である。
【図２】図２は、本発明の本質に従ってまた構築された、予め作製された合成芝地の、別の例示的な実施形態の部分の断面ブロック図である。
【図３】図３は、図１および図２で示される原理に従って構築された予め作製された人工芝システムの代表的な配置を示す、断面ブロック図である。
【図４】図４は、図１および図２で示される原理に従って構築された予め作製された人工芝システムの別の代表的な配置を示す、断面ブロック図である。
【国際公開パンフレット】
2004534165.tif 000003
2004534165.tif 000004
2004534165.tif 000005
2004534165.tif 000006
2004534165.tif 000007
2004534165.tif 000008
2004534165.tif 000009
2004534165.tif 000010
2004534165.tif 000011
2004534165.tif 000012
2004534165.tif 000013
2004534165.tif 000014
2004534165.tif 000015
2004534165.tif 000016
2004534165.tif 000017
2004534165.tif 000018
2004534165.tif 000019
2004534165.tif 000020
【国際調査報告】
2004534165.tif 000021
2004534165.tif 000022
2004534165.tif 000023